(57)【特許請求の範囲】
【請求項１】
内視鏡を患部に誘導するための管状部材であって、
（１）管状部材本体に内視鏡を挿入するための導入用開口部及び出口用開口部を有し、
（２）内視鏡を湾曲させて患部に誘導するための誘導手段が管状部材本体の内側に設けられていて、前記誘導手段が１）管状部材本体内に設けられた流体導入管及び２）前記流体導入管からの流体により管状部材本体外で膨張するバルーンを含み、膨張したバルーンが壁面となり、その壁面で内視鏡が９０度以下の角度に湾曲する、
ことを特徴とする内視鏡誘導用管状部材。
【請求項２】
管状部材本体の内側に設けられた誘導手段が、湾曲状誘導部材を含む、請求項１に記載の内視鏡誘導用管状部材。
【請求項３】
管状部材本体の内側に設けられた誘導手段が１）湾曲状誘導部材及び２）内視鏡が管状部材本体から出て患部に誘導されるための誘導口を含む、請求項１に記載の内視鏡誘導用管状部材。
【請求項４】
管状部材本体の内側に設けられた誘導手段が１）管状部材本体内に設けられた壁面及び２）内視鏡が管状部材本体から出て患部に誘導されるための誘導口を含む、請求項１に記載の内視鏡誘導用管状部材。
【請求項５】
管状部材本体の外周側面又は内周側面にガイドワイヤ用通路を有する、請求項１に記載の内視鏡誘導用管状部材。
【発明の詳細な説明】
【技術分野】
【０００１】
本発明は、内視鏡を患部に誘導するために用いる管状部材（オーバーチューブ）に関する。
【背景技術】
【０００２】
例えば、内視鏡的逆行性胆管膵管造影検査及びそれに関連する診断法・治療法において、胆管内・膵管内の観察・診断するに際し、内視鏡を経口的に胆汁又は膵液の排出口である十二指腸乳頭部まで到達させた後、内視鏡先端部より造影チューブを胆管又は膵管に挿入した後、造影チューブから造影剤を注入することにより、胆管又は膵管の太さ、形状、性状等を観察し、その結果に基づいて診断等が行われている。つまり、胆管又は膵管をそのまま直接観察するのではなく、造影剤により映し出された画像により診断及び治療がなされている。
【０００３】
また、生体組織を採取し、顕微鏡的に細胞の良性・悪性を診断する生検法においては、採取部を直接視認することが困難であることから、透視下で実施されることが多い。このため、目的とする部位によっては正確に生体組織を採取できないことがある。このような場合、実際は病変が存在するにもかかわらず、病変の存在が把握できずに、診断結果が偽陰性に終わるおそれも生じる。また、結石が存在しても、透視下に診断又は治療が行われるため、微小な結石を発見できなかったり、また発見できたとしても結石が排出しきれずに体内に一部残存する場合もあるほか、胆管内又は膵管内で治療が必要な場合であっても透視下では満足できる治療が実施できないこともある。
【０００４】
このように、特に胆管又は膵管領域を内視鏡で診断又は治療するに際しては、これらの領域をそのまま視認することが困難ないしは不可能であるがゆえに、診断及び治療がともに困難であることが少なくない。
【０００５】
これに対し、例えば親子式の内視鏡を使用することにより胆管内又は膵管内の診断及び治療が試みられている。具体的には、十二指腸乳頭部までは「親」に相当する第１の内視鏡を挿入し、その先端部からは「子」に相当する第２の内視鏡を上記第１の内視鏡の挿通管内に通して胆管又は膵管に挿入する、いわゆる親子方式が行われている。
【先行技術文献】
【特許文献】
【０００６】
【特許文献１】特開２００８−１２５８１９
【発明の概要】
【発明が解決しようとする課題】
【０００７】
しかし、上記のような２つの内視鏡を使用し、両者を同時に制御・操作しながら、病変を過不足なく診断及び治療することは難度が高いだけでなく、医師の熟練度によっては患者にも大きな苦痛を強いるおそれがあることから、一般的な医療施設にて汎用できるような方法とは言えない。
【０００８】
従って、本発明の主な目的は、比較的容易に内視鏡を目的の位置まで誘導することができる器具を提供することにある。
【課題を解決するための手段】
【０００９】
本発明者は、従来技術の問題点に鑑みて鋭意研究を重ねた結果、特定の構造を有する筒状体が上記目的を達成できることを見出し、本発明を完成するに至った。
【００１０】
すなわち、本発明は、下記の内視鏡誘導用管状部材に係る。
１．  内視鏡を患部に誘導するための管状部材であって、
（１）管状部材本体に内視鏡を挿入するための導入用開口部及び出口用開口部を有し、
（２）内視鏡を湾曲させて患部に誘導するための誘導手段が管状部材本体の内側に設けられていて、前記誘導手段が１）管状部材本体内に設けられた流体導入管及び２）前記流体導入管からの流体により管状部材本体外で膨張するバルーンを含み、膨張したバルーンが壁面となり、その壁面で内視鏡が９０度以下の角度に湾曲する、
ことを特徴とする内視鏡誘導用管状部材。
２．  管状部材本体の内側に設けられた誘導手段が、湾曲状誘導部材を含む、前記項１に記載の内視鏡誘導用管状部材。
３．  管状部材本体の内側に設けられた誘導手段が１）湾曲状誘導部材及び２）内視鏡が管状部材本体から出て患部に誘導されるための誘導口を含む、前記項１に記載の内視鏡誘導用管状部材。
４．  管状部材本体の内側に設けられた誘導手段が１）管状部材本体内に設けられた壁面及び２）内視鏡が管状部材本体から出て患部に誘導されるための誘導口を含む、前記項１に記載の内視鏡誘導用管状部材。
５．  管状部材本体の外周側面又は内周側面にガイドワイヤ用通路を有する、前記項１に記載の内視鏡誘導用管状部材。
【発明の効果】
【００１１】
本発明の内視鏡誘導用管状部材によれば、比較的容易に内視鏡を目的の場所に誘導することができる。特に、内視鏡を鋭角に曲げることもできるので、これまで内視鏡を導入することが困難とされていた箇所（例えば、膵管又は胆管）に内視鏡を容易かつ確実に誘導することが可能となる。例えば、胆管内、膵管内等において、腫瘍性病変、結石等の診断もより容易かつ確実に行うことができるので、これらの疾患に対して適切な治療方針をたてる際にも有用である。また、胆管、膵管等を内視鏡にて直接観察することもできるので、そのような観察が必要な診断又は治療に大いに貢献することができる。
【００１２】
以上のように、本発明の内視鏡誘導用管状部材により、従来技術で困難とされていた胆管又は膵管領域の診断及び治療が容易かつ確実になる上、その処置時間の短縮化が図れる等の利点があり、患者・被検者の負担も軽減されることから、従来のいわゆる親子方式経口的胆管鏡又は膵管鏡の困難性・信頼性の問題を解消することができる。
【図面の簡単な説明】
【００１３】
【図１】本発明の管状部材の本体の構成例を示す図である。
【図２】本発明の管状部材の構成例を示す概要図である。
【図３】本発明の管状部材の構成を示す概要図である。
【図４】誘導手段の構成例を示す図である。
【図５】本発明の管状部材の構成を示す概要図である。
【図６】本発明の管状部材（バルーン装着タイプ）の構成を示す概要図である。
【図７】実施例における本発明の管状部材の構成を示す概要図である。
【図８】管状部材が装着された内視鏡を体内に導入する様子を示す概要図である。
【図９】ヒトの胆管又は膵管の位置を示す概要図である。
【図１０】本発明の管状部材（バルーン装着タイプ）に誘導路を設けた構成を示す概要図である。
【図１１】内視鏡の湾曲（屈曲）角度を示す概略図である。
【図１２】管状部材本体の外周側面にガイドワイヤ用通路を設けた状態を示す概略図である。
【図１３】管状部材本体の最奥部が袋状となっている態様を示す図である。
【発明を実施するための形態】
【００１４】
１．内視鏡誘導用管状部材
本発明の内視鏡誘導用管状部材は、内視鏡を患部に誘導するための管状部材であって、
（１）管状部材本体に内視鏡を挿入するための導入用開口部及び出口用開口部を有し、
（２）内視鏡を湾曲させて患部に誘導する誘導手段が管状部材本体の内側及び／又は外側に設けられている、
ことを特徴とする
【００１５】
管状部材本体は、内視鏡を挿入（貫通）させることができるものであれば良く、通常は２つの開口部を有する管状体（チューブ状物）を使用することができる。より具体的には、図１に示すような各種の形式を採用することができる。図１（ａ）に示す筒状タイプのほか、図１（ｂ）に示す螺旋タイプ（コイル型）であっても良い。また、図１（ａ）の筒状タイプの側面がメッシュ状になっているもの（筒状の外部から内部へ貫通した貫通孔を多数するもの）であっても良い。
【００１６】
管状部材本体の材質は、所定の可撓性及び柔軟性があるものであれば限定されず、例えば合成樹脂、合成ゴム、天然ゴム、繊維質材料（織物、不織布）、金属等の材質を採用することができる。また、内視鏡用の市販のオーバーチューブで採用されている材質も使用することができる。従って、本発明では、管状部材本体が自立性のある材質（又は剛性の高い材質）で構成されている場合のほか、自立性のない材質（又は柔軟性の高い材質）で構成されている場合も包含する。後記の内視鏡の制御方法では、その材質等に応じて種々の方法を選択することができる。
【００１７】
管状部材本体が、柔軟性が高く自立性のない材質で構成されている場合、当該管状部材本体の外周側面又は内周側面にガイドワイヤ用通路を設けることもできる。これによって、ガイドワイヤを利用して当該管状部材を処置目的位置までより確実に誘導することが可能となる。例えば図１２に示すように、管状部材本体２の外周側面にガイドワイヤ用通路２５を設けることができる。ガイドワイヤ用通路は、管状部材本体を構成している材質と同様のものを使用することができる。また、図１２のガイドワイヤ用通路はチューブ状であるが、この形状に限定されない。なお、図１２では、便宜上、誘導手段等の表記を省略している。
【００１８】
管状部材本体には、内視鏡を挿入するための導入用開口部及び出口用開口部が設けられている。より具体的には、導入用開口部は内視鏡を挿入するための入口であり、出口用開口部は入口から挿入された内視鏡の先端が管状部材本体外に出るための出口となる。上記のような２つの開口部を有するチューブを採用する場合は、２つの開口部がそれぞれ導入用開口部及び出口用開口部となる。図２（ａ）には、本発明の管状部材本体の一例を示す。図２（ａ）に示すように、管状部材本体２には、導入用開口部７及び出口用開口部８が設けられている。この場合、出口用開口部は、例えば図２（ｂ）に示すようにチューブ側面部の一部も開放された出口用開口部８としても良い。このような出口用開口部を採用する場合は、出口用開口部が後記の誘導口としての役割を果たすこともできる。また、このような出口用開口部を採用するときは、必要に応じて図２（ｃ）のｃ−２（出口用開口部８から見た図）に示すように、外縁部をＵ字状又はＶ字状となるように内側に折り曲げた断面構成を適宜採用することができる。図２（ｂ）の導入用開口部８の断面を図２（ｃ）のｃ−１に示す。これに対し、図２（ｃ）のｃ−２のような断面構成とすることにより、管状部材の挿入時において消化管の粘膜をより効果的に保護することができる。なお、これらの構成は、導入用開口部７にも適用しても良い。
【００１９】
また、本発明では、管状部材本体の側面に導入用開口部を設けても良い。管状部材本体の側面に別の導入用開口部を設けることにより、内視鏡の操作部と患部との距離を短くでき、これにより内視鏡の操作性を良好に保つことができる。
【００２０】
管状部材本体の長さ、内径及び外径は、例えば対象とする患者、挿入する内視鏡の種類、管状部材本体の材質等に応じて適宜設定することができる。一般的には、管状部材本体の長さは、患者の口から十二指腸乳頭部までの長さ以上とすれば良く、一般的には０．６〜１．５ｍ程度とすれば良いが、この範囲に限定されるものではない。前記のように、管状部材本体が予定よりも長くなっても、導入用開口部を管状部材本体側面に形成することにより、内視鏡の操作性を確保することができる。管状部材本体の内径は、通常は２０〜４０ｍｍ程度とすれば良い。管状部材本体の厚みは、通常は０．１〜３ｍｍの範囲内で適宜設定すれば良い。
【００２１】
管状部材本体の内側及び／又は外側には、内視鏡を湾曲させて患部に誘導するための誘導手段が設けられている。
【００２２】
誘導手段により、内視鏡を容易に湾曲させることができる。特に９０度以下の角度（鋭角）にも比較的容易に曲げることができる。すなわち、例えば図１１のように角度Δｔが９０度以下（例えば８０度以下、６０度以下）に容易に曲げることが可能になる。これによって、患者に大きな負担を与えることなく、内視鏡の動作制御が可能となる。前記角度△ｔの下限値は、用いる内視鏡等の性能に応じて適宜設定される。
【００２３】
誘導手段は、管状部材本体の外側及び内側の少なくともいずれか一方に設けられていれば良いが、体内挿入時の容易性等より管状部材本体の内側に設けられていることが好ましい。また、誘導手段は、１つ又は２つ以上設けることができる。
【００２４】
誘導手段としては、内視鏡を所定の角度に湾曲（屈曲）させることができれば特に限定されない。例えば、図３（矢印は挿入される内視鏡の向きを示す。）に示すように、管状部材本体２の内側に設けられた誘導手段である場合は、１）湾曲状誘導部材４及び２）内視鏡が管状部材から出て患部に誘導されるための誘導口３を含む構成を好適に採用することができる。湾曲状誘導部材４は、あらかじめ所定の角度で曲げられた状態で加工された部材であり、当該部材に内視鏡を導入することにより前記部材の形状に追従して内視鏡も湾曲する。前記部材の形状は限定的でなく、例えば図４に示すように、チューブ状（筒状）（図４（ａ））、レール状（Ｕ字状、Ｖ字状、Ｉ字状）（図４（ｂ））、プレート状（階段状）（図４（ｃ））等のいずれであっても良い。これらを所定の角度に曲げることによって湾曲状誘導部材として使用することができる。
【００２５】
そして、誘導口３から内視鏡の先端部が出て、患部に到達する。誘導口３は、好ましくは管状部材本体２の壁面（特に側面）に設けられる。湾曲状誘導部材４の材質は、管状部材本体と同じであっても良いし、あるいは管状部材と異なる材質であっても良い。例えば、弾性を有する材料（例えばゴム）を壁面として適用することもできる。
【００２６】
また例えば、誘導手段が管状部材本体２の内側に設けられる場合は、図５に示すように、１）管状部材本体内に設けられた壁面４及び２）内視鏡が管状部材本体から出て患部に誘導されるための誘導口３を含む構成を好適に採用することができる。管状部材本体２内に設けられた壁面４に内視鏡の先端を当てながら押し進めていくことにより壁面に追従したかたちで内視鏡が湾曲する。そして、管状部材本体２の側面に設けられた誘導口３から内視鏡の先端が出て、患部に到達する。図５では、中心部に開口部５を有する壁面４を設けることにより、開口部５を通じて内視鏡を貫通させることができる。
【００２７】
管状部材本体が、柔軟性が高く自立性のない材質で構成されている場合、例えば図１３に示すように、管状部材本体２の先端部の最奥部２６が閉じた形状（例えば袋状）とし、かつ、管状部材本体２の側面に出口用開口部８を１つ又はそれ以上設けることにより、当該最奥部２６が誘導手段として機能する。すなわち、図１３の黒い矢印で示すように最奥部２６で内視鏡が湾曲し、内視鏡の先端が出口用開口部８から管状部材本体外に露出する。この場合の出口用開口部としては、第１又は第２の内視鏡が貫通できる大きさ及び形状であれば良い。また、出口用開口部は１つ又は２つ以上を設けることができる。例えば、管状部材本体がゴム等の弾力性がある材料で構成されている場合は、図１３に示すように、管状部材本体の側面にスリット状の出口用開口部８を１つ以上設けることができる。また、このような出口用開口部８を複数形成することにより、管状部材本体２を固定したままで任意の方向に内視鏡を誘導することができる。この場合、出口用開口部８は、誘導口としても機能する。
【００２８】
さらに、誘導手段の別の実施形態としては、管状部材本体の内側に設けられた誘導手段が１）管状部材本体内及び／又は管状部材本体外に設けられた流体導入管及び２）前記流体導入管からの流体により管状部材本体内又は本体外で膨張するバルーンを含むものであっても良い。図６に示すように、管状部材本体２内に配置された流体導入管２１に先端にバルーン２２を連結し、流体導入管２１から導入された流体によりバルーン２２を膨張させる。すなわち、膨張したバルーンが壁面となり、その壁面で内視鏡が湾曲する。湾曲した内視鏡は、誘導口３から患部に到達する。あるいは、誘導口を兼ねた導入用開口部８から患部に到達する。前記の流体としては、特に限定されず、例えば空気、窒素ガス等の気体のほか、例えば蒸留水、生理食塩水、液状造影剤等の液体のいずれも使用することができる。この場合、図１０に示すように、管状部材本体内に誘導路２３を形成することによって、より容易に内視鏡を曲げることが可能となる。すなわち、誘導路２３に内視鏡を通すことによってバルーン２２に当接する位置を調整し、より高い精度で内視鏡を曲げることができる。誘導路２３の構成は特に限定されず、図１０中のＡ−Ａ’断面図に示すように、例えば筒状部材を設ける構成、管状部材本体に隔壁を設ける構成等のいずれであっても良い。このような誘導路は、例えば図５の構成等においても採用することができる。また、流体導入管２１の長さを調整することにより、管状部材８の出口用開口部から離れた位置でバルーン２２を膨張させることも可能であり、これにより内視鏡をより効果的に制御することができる。この場合、流体導入管２１は、誘導路２３の内側に設けられても良いし、あるいは外側に設けられていても良い。また、誘導路２３の長さは、特に限定されない。
【００２９】
また、バルーンの材質としては、内視鏡が当接しても破裂・縮小しない材質であれば特に制限されず、例えば従来の内視鏡処置で使用されている公知のバルーンを構成するものと同じ材質（シリコーンゴム等）を採用することができる。従って、バルーンを使用しない場合は、バルーンが平面状に折りたたむことができるものを採用することもできる。
【００３０】
管状部材本体が、例えば繊維質材料（例えば布地）のように柔軟性の高い材料（換言すれば自立性のない材料）から構成される場合は、必要に応じて、管状部材本体の外周側面又は内周側面にガイドワイヤ用通路を設けることができる。内視鏡誘導用管状部材がガイドワイアを伝って十二指腸乳頭部等まで押し込まれることによって誘導される場合等には、ガイドワイア用通路はその押し込みの力に耐えるのに十分な剛性を有する材質から構成されていることが望ましい。このような剛性の高い材質としては、例えば公知又は市販のチューブと同様の材質を使用することができる。
【００３１】
２．内視鏡の制御方法
本発明は、前記の内視鏡誘導用管状部材を用いた内視鏡の制御方法も包含する。すなわち、
（１）内視鏡誘導用管状部材の導入用開口部から内視鏡を挿入し、内視鏡の先端部を出口用開口部から出すことにより、内視鏡誘導用管状部材に内視鏡を挿入する工程、
（２）内視鏡を処置目的位置の周辺箇所に導入する工程、
（３）内視鏡誘導用管状部材を内視鏡に沿って前記箇所まで誘導する工程、及び
（４）前記内視鏡又は別の内視鏡を内視鏡誘導用管状部材の誘導手段により処置目的位置まで誘導する工程
を含む制御方法を包含する。
【００３２】
まず、内視鏡誘導用管状部材の導入用開口部から内視鏡を挿入し、内視鏡の先端部を出口用開口部から出すことにより、内視鏡誘導用管状部材に内視鏡を挿入する。この作業は、通常は体外で行えば良い。この工程により、内視鏡の長さ方向の一部の区間が内視鏡誘導用管状部材に覆われた状態で装着される。ここで用いる内視鏡自体は、市販品をそのまま使用することができる。
【００３３】
次いで、前記管状部材の出口用開口部から出た内視鏡の先端部から順に、内視鏡を体内の処置目的位置の周辺箇所に導入する。つまり、誘導部材により内視鏡を処置目的位置に誘導できる領域内に内視鏡を導入する。例えば、膵管又は胆管を目的位置とする場合は、十二指腸乳頭部又はその周辺まで内視鏡を導入すれば良い。この状態を図８に示す。この場合、内視鏡を体内に挿入した後、内視鏡を通常の操作により直線化することにより、それに消化管を追従させて直線化（最短化）しておくことが好ましい。これにより内視鏡又は前記管状部材の操作性等をより高めることができる。
【００３４】
その後、予め前記箇所まで導入されている内視鏡を伝って行きながら、内視鏡誘導用管状部材を前記箇所まで誘導する。この場合、内視鏡誘導用管状部材は、内視鏡をガイドとして誘導されるので確実かつ迅速に前記箇所まで移動させることができる。この場合、長めの内視鏡誘導用管状部材を用意すれば前記直線化により管状部材の余剰分が生じることもあるが、被検者の口元周辺において管状部材側面に導入用開口部を設けておけば、その開口部から内視鏡を操作できるので、余剰分の存在にもかかわらず内視鏡の操作性を確保することができる。他方、余剰分が生じた場合は、その余剰分を切断して短縮化することもできるほか、病変該当部と最も距離の短い管状部材の側面の適当な位置に市販の鋏、カッター等の切具によって導入用開口部を適宜設けることができる。
【００３５】
前記内視鏡又は別の内視鏡を内視鏡誘導用管状部材の誘導手段により処置目的位置まで誘導する。
【００３６】
同じ内視鏡を用いる場合は、内視鏡誘導用管状部材を固定しながら、内視鏡だけを誘導手段が設けられている位置までいったん後退させた後、その内視鏡を再度押し進めて誘導手段に導入し、内視鏡を所定の角度に曲げながら患部に誘導することができる。内視鏡誘導用管状部材を固定する方法は限定的ではなく、例えば内視鏡誘導用管状部材の側面に設けたバルーンの１つ又は２つ以上を膨張させて十二指腸等の内壁にバルーンを圧接させることにより固定することができる。このようなバルーンをもつ構造自体は、公知のバルーンを備えた内視鏡又は管状部材（チューブ状部材）と同様の構造を採用することができる。
【００３７】
別の内視鏡（第２内視鏡）を使用する場合は、内視鏡誘導用管状部材の導入用開口部から第２内視鏡を挿入してから内視鏡誘導用管状部材の誘導手段により処置目的位置まで誘導する。より具体的には、内視鏡誘導用管状部材を固定しながら、当該内視鏡誘導用管状部材の導入用開口部から第２内視鏡を挿入し、第２内視鏡を誘導手段に導入し、第２内視鏡を所定の角度に曲げながら患部に誘導することができる。第２内視鏡としては、例えば細径内視鏡（経鼻内視鏡）を好適に用いることができる。細径内視鏡は市販品を使用することができる。また、この場合、もとの内視鏡は、内視鏡誘導用管状部材内にそのまま留置しても良いし、あるいは抜去しても良い。
【００３８】
本発明の内視鏡誘導用管状部材本体が、例えば繊維質材料（例えば布地）のように柔軟性の高い材料（換言すれば自立性のない材料）から構成される場合は、次のような方法で内視鏡を制御することができる。すなわち、（１）内視鏡誘導用管状部材の先端部を内視鏡の先端部で把持する工程、（２）内視鏡誘導用管状部材の先端部を把持した状態で内視鏡を処置目的位置の周辺箇所に導入することにより、内視鏡誘導用管状部材の出口用開口部を前記箇所まで誘導する工程、及び（３）前記内視鏡又は別の内視鏡を内視鏡誘導用管状部材の導入用開口部に挿入し、当該誘導手段により処置目的位置まで誘導する工程を含む制御方法を採用することができる。
【００３９】
上記（１）の工程では、内視鏡誘導用管状部材の先端部を内視鏡の先端部で把持する。把持する方法は限定的でなく、例えば内視鏡の把持鉗子等の公知又は市販の手段を使用すれば良い。
【００４０】
次いで、上記（２）の工程において、内視鏡誘導用管状部材の先端部を把持した状態で内視鏡を処置目的位置の周辺箇所に導入することにより、内視鏡誘導用管状部材の出口用開口部を前記箇所まで誘導する。この場合、内視鏡誘導用管状部材及び内視鏡の２本が患者の口腔部外部から前記箇所まで連絡した状態となる。内視鏡誘導用管状部材の出口用開口部を前記箇所まで誘導した後、内視鏡は抜去しても良いし、そのまま内視鏡誘導用管状部材の先端部を把持していても良い。
【００４１】
その後、上記（３）の工程で前記内視鏡又は別の内視鏡を内視鏡誘導用管状部材の導入用開口部に挿入し、当該誘導手段により処置目的位置まで誘導する。すなわち、内視鏡誘導用管状部材の出口用開口部は既に処置目的位置の周辺箇所まで誘導されているので、内視鏡誘導用管状部材の導入用開口部から内視鏡を挿入することにより、内視鏡先端部が誘導手段に到達し、さらに出口用開口部から外部に出て、近傍にある処置目的位置まで誘導される。
【００４２】
また、前記のように、内視鏡誘導用管状部材本体が柔軟性の高い材料（換言すれば剛性が低い材料）から構成される場合、当該管状部材本体の外周側面又は内周側面にガイドワイヤ用通路を設けることにより、当該管状部材を処置目的位置までより確実に誘導することが可能となる。この場合の制御方法としては、（１）ガイドワイヤ先端を処置目的位置の周辺箇所に導入する工程、（２）ガイドワイヤ用通路を管状部材本体の外周側面又は内周側面に有する内視鏡誘導用管状部材における当該ガイドワイヤ用通路に前記ガイドワイヤを通し、ガイドワイヤを辿って内視鏡誘導用管状部材を処置目的位置の周辺箇所に導入する工程、（３）内視鏡を内視鏡誘導用管状部材の誘導手段により処置目的位置まで誘導する工程を含む制御方法を好適に採用することができる。
【００４３】
上記（１）の工程において、内視鏡誘導用管状部材を体内に導入するのに先立って、ガイドワイヤ先端を処置目的位置の周辺箇所に導入する。ガイドワイヤの導入方法は特に限定されず、例えば内視鏡を用いる方法がある。より具体的には、先に内視鏡を体内に挿入した後、内視鏡の挿通路等にガイドワイヤを送り込んでいくことにより、ガイドワイヤ先端を処置目的位置の周辺箇所に導入することができる。この場合、内視鏡は必要に応じて抜去すれば良い。また、導入されたガイドワイヤは、Ｘ線透視下で所定の位置に固定されていることを確認することができる。ガイドワイヤ自体は、公知又は市販の金属又は合金製ガイドワイヤ等を好適に使用することができる。
【００４４】
次いで、上記（２）の工程では、ガイドワイヤ用通路を外周側面又は内周側面に有する内視鏡誘導用管状部材における当該ガイドワイヤ用通路に前記ガイドワイヤを通し、ガイドワイヤを辿って内視鏡誘導用管状部材を処置目的位置の周辺箇所に導入する。より具体的には、ガイドワイヤ先端が処置目的位置の周辺箇所にあり、ガイドワイヤ他端が口腔部から体外にある状態において、体外においてガイドワイヤの他端から内視鏡誘導用管状部材の当該ガイドワイヤ用通路を通した後、口腔部を経て十二指腸乳頭部等まで内視鏡誘導用管状部材を順に送り込めば良い。この場合、内視鏡誘導用管状部材の先端は処置目的位置の周辺箇所に到達し、内視鏡誘導用管状部材の他端は口腔部から体外に出ている状態となる。
【００４５】
上記（３）の工程で内視鏡を内視鏡誘導用管状部材の誘導手段により処置目的位置まで誘導する。すなわち、内視鏡誘導用管状部材の導入用開口部から内視鏡を挿入し、当該誘導手段によって内視鏡（先端）を処置目的位置まで誘導する。その後、内視鏡等により所定の処置を実施すれば良い。この場合、管状部材の先端部又はその他の適当な位置にレントゲン透視・撮影にて透視できる部材を装着することにより、内視鏡誘導用管状部材（特に先端）の位置等がレントゲン透視・撮影下にその都度体外から確認できるようにしておくことが望ましい。
【実施例】
【００４６】
以下に実施例を示し、本発明の特徴をより具体的に説明する。ただし、本発明の範囲は、実施例に限定されない。
【００４７】
実施例１
図７には、本発明の内視鏡誘導用オーバーチューブの概略図を示す。このオーバーチューブ１では、オーバーチューブ本体２が導入用開口部７及び出口用開口部８を有し、誘導手段がオーバーチューブ本体２の内側に設けられている。このオーバーチューブにおける誘導手段は、チューブ状部材４及び誘導口３から構成される。この実施例では、チューブ状部材４は、オーバーチューブ本体２の先端部のみの短いタイプであるが、そのような態様に限定されない。例えば、オーバーチューブ本体２の全体にまたがるような長いチューブ状部材を採用することもできる。
【００４８】
オーバーチューブ本体２は、市販されている標準的な内視鏡が挿通するのに十分な内径及び構造を有する。材質は、適度な可撓性と剛性を兼ね備えた材料（合成樹脂、複合材料等）を採用することができ、公知又は市販のオーバーチューブで採用されている材質を使用することができる。例えば、ポリ塩化ビニル製チューブを好適に用いることができる。また、オーバーチューブにおいて体外（口）から出る部分は、通常の内視鏡検査で被検者が口にくわえるマウスピースに装着される構造９を採用することもできる。マウスピース及びその装着用構造は、公知又は市販のものを採用することができる。また、前記のように、オーバーチューブに余剰分が生じた場合は、その余剰分を切断し、その切断部分をマウスピースを装着できる構造とすれば短縮化されたオーバーチューブ端にマウスピースを取り付けることができる。
【００４９】
このようなオーバーチューブ１の導入用開口部７から内視鏡（図示せず）を通して出口用開口部８から内視鏡の先端部を出した状態とする。そして、図８に示すように、内視鏡１０の先端部を被検者の口腔部３１から導入して胃３２を経て十二指腸乳頭部近傍３３まで挿入する。次いで、その挿入された内視鏡をガイドとして用いてオーバーチューブ１を胃３２を経て十二指腸乳頭部近傍３３まで誘導する。その後、オーバーチューブの導入用開口部から第２の内視鏡として細径内視鏡を導入し、誘導手段のチューブ状部材の内部に挿入する。これにより、細径内視鏡がチューブ状部材の曲率に追従し、容易に鋭角（例えば８０度以下）に曲げることができる。その結果、消化管の下流方向に対して鋭角に繋がっている器官にも内視鏡を比較的容易に導入することができる。その後、細径内視鏡の先端部が誘導口から出て、図９に示すような胆管３５内又は膵管３６内に進んでいくことができる。
【００５０】
なお、本方法の前処置として、十二指腸乳頭を内視鏡的に切開する内視鏡的乳頭括約筋切開術又はバルーンにて乳頭を拡張すること（いわゆる内視鏡的乳頭バルーン拡張術）により胆管又は膵管への第２の内視鏡の挿入が可能になる。
【図１】
0005631177.tif 000002
【図２】
0005631177.tif 000003
【図３】
0005631177.tif 000004
【図４】
0005631177.tif 000005
【図５】
0005631177.tif 000006
【図６】
0005631177.tif 000007
【図７】
0005631177.tif 000008
【図８】
0005631177.tif 000009
【図９】
0005631177.tif 000010
【図１０】
0005631177.tif 000011
【図１１】
0005631177.tif 000012
【図１２】
0005631177.tif 000013
【図１３】
0005631177.tif 000014